(57)【要約】【課題】  陸屋根などのコンクリート躯体の表面に防水施工をする際に用いられる防水施工用固定部材において、他の防水部材を傷つけ難く、施工作業性を良好にすることのできる防水施工用固定部材を提供する。【解決手段】  本発明にかかる防水施工用固定部材は、樹脂被覆鋼板の上面に外形加工を施して、固定具の頭部を収容する収容部と脚部を挿通させる挿通孔を形成したものであって、挿通孔の縁部を水平方向または水平より上方に突出状にしたことを特徴とする。【選択図】  図２
2005299163.tif 000002
【特許請求の範囲】
【請求項１】
樹脂被覆鋼板上面に外形加工を施して、固定具の頭部を収容する収容部と脚部を挿通させる挿通孔を形成した防水施工用固定部材であって、挿通孔の縁部を水平方向に突出状にしたことを特徴とする防水施工用固定部材。
【発明の詳細な説明】
【技術分野】
【０００１】
陸屋根などのコンクリート躯体表面を防水施工する際に、コンクリート躯体に直接あるいは断熱材や養生シートを介して固定具によって固定される防水シート張設接合板、防水用ドレン、笠木鋼板などの防水施工用固定部材に関する。
【背景技術】
【０００２】
従来、陸屋根などのコンクリート躯体の表面等に塩化ビニルやオレフィン系樹脂製の防水シートを部分的に接合してなされるいわゆる絶縁工法では、防水シート張設接合板、防水用ドレン、笠木鋼板などの防水施工用固定部材が使用されている。
【０００３】
防水施工用固定部材としては、塩化ビニルやオレフィン系樹脂が被覆された樹脂被覆鋼板に切断や折り曲げやプレスなどの加工が施されたものからなり、コンクリート躯体に固定するための固定具用の挿通孔が設けられている。例えば、図４に示すように、防水施工用固定部材（２１）を構成する樹脂被覆鋼板（２２）に、固定具用の挿通孔（２４）が断面からみて平坦状に形成されている。
【０００４】
しかし、この防水施工用固定部材（２１）は、頭部（２５ａ）を有する固定具（２５）によってコンクリート躯体に固定された際に、その頭部（２５ａ）が樹脂被覆鋼板（２２）の上面より上方に突出した状態となり、その上を覆う防水シート（Ｓ）を突き破る恐れがあった。
【０００５】
そこで、図５に示すように、樹脂被覆鋼板（３２）の上面に外形加工を施して、外形加工がなされない平坦部（３２ｂ）を残した状態で固定具の頭部を収容できる凹状の収容部（３３）を形成しつつ、脚部を挿通するための挿通孔（３４）を設けた防水施工用固定部材（３１）が提案されている。このとき縁部（３２ａ）は斜め下方へ突出した状態となる。（特許文献１参照）
【０００６】
このように外径加工がなされた防水施工用固定部材（３１）は、固定具の頭部を収容する収容部（３３）が設けられたものであるために、固定具の頭部が突き出ることがなく、つまり防水シートを突き破る恐れがなく、また施工後の外観も良好に確保できる特徴をもつ。
【特許文献１】特開平０９−３０２８７８
【発明の開示】
【発明が解決しようとする課題】
【０００７】
しかしながら、上記固定具の頭部を収容できる収容部が設けられた防水施工用固定部材は、斜め下方へ突出した挿通孔の縁部を有したものであるために、その縁部が鋭利なバリと同様の作用をし、他の防水施工用固定部材や防水シートなどの防水部材を傷つける問題があった。
【０００８】
例えば、防水施工用固定部材のなかでも防水シート張設用接合板は、通常複数が積み重ねられた状態で保管、運搬されるが、多く積み重ねられたときや運搬時の振動などで下方に隣接する別の接合板の樹脂面を傷つけることがあった。また防水用ドレン、笠木鋼板などの防水施工用固定部材は高重量のものが多く、施工時に誤まって防水シートに落とすなどして、防水施工面を傷つけることがあった。また取り扱いの際に指などの人体を傷つけることもあった。
【０００９】
防水部材は、長期に亘り使用されるものが多く、微細な傷であっても経年で大きな傷に成長する可能性があるため、防水の長期信頼性を確保するにはこれらの傷は未然に防がれなければならないものである。
【００１０】
とくに、樹脂被覆鋼板にように樹脂が薄膜に積層されたものからなる防水部材は、表面に傷が入りやすいものでもある。
【００１１】
そうした問題に対しては、防水施工用固定部材を保管時から使用直前まで、空気入りフィルムなどの緩衝包材で個別に包むなどの対策をとることが考えられる。しかしこのような対策は、施工作業労力を増加させ、また余分な資材の増加を招くなど別の問題を有していた。
【００１２】
そこで本発明は、他の防水部材を傷つけ難く、施工作業性を良好にすることのできる防水施工用固定部材を提供することにある。
【課題を解決するための手段】
【００１３】
発明者は鋭意研究をした結果、従来の固定具を収容することのできる収容部が設けられた防水施工用固定部材の挿通孔縁部の形状に着目し、その形状を変更することによって、上記目的を達成することのできる防水施工用固定部材が得られることを見出した。
【００１４】
すなわち、本発明にかかる防水施工用固定部材は、樹脂被覆鋼板上面に外形加工を施して、固定具の頭部を収容する収容部と脚部を挿通させる挿通孔を形成した防水施工用固定部材であって、挿通孔の縁部を水平方向に突出状にしたことを特徴とする防水施工用固定部材を要旨とするものである。
【発明の効果】
【００１５】
本発明にかかる防水施工用固定部材は、挿通孔の縁部が水平方向に突出したことを特徴とするため、その縁部が鋭利なバリとして作用することがなく、保管時、運搬時、また防水施工時に他の防水部材と接触してもそれらを傷つけることが防止される。指などの人体も傷つけ難く、施工作業性を向上させるものである。
【００１６】
また、固定具の頭部を収容できる収容部をもつために、施工後においても、その上方に覆われた防水シートが突き破られることがなく、防水施工における耐久性を向上させる。施工後の外観も良好に保つことができる。
【００１７】
また、樹脂被覆鋼板に外形加工を施すだけで固定具用の挿通孔を形成することができるため、経済性にも優れている。
【００１８】
さらに、釘打ち機により固定具が打ちつけられ、得られた固定構造は、防水施工用固定部材の挿通孔の縁部をコンクリート躯体に押し込んだものとなるため、高い固定強度を得ることができる。
【発明を実施するための最良の形態】
【００１９】
図１は、本発明にかかる防水施工用固定部材（１）を示す図である。
【００２０】
この防水施工用固定部材（１）は、陸屋根のパラペットの隅部に沿うようにＬ字型に加工された１．３ｍｍ厚さ、短辺長さ１００ｍｍ、長辺長さ２０００ｍｍのポリ塩化ビニル樹脂の樹脂被覆鋼板（２）から構成されており、その底部と立ち上がり部の隅部側の一部にはポリ塩化ビニル樹脂製の防水シート（Ｓ）が貼り付け加工され、立ち上がり部の端部側には防水シート（Ｓ）が貼り付け加工されない態様で、端部を超えて延展されている。なお、図１は本発明にかかる固定具の挿入孔部分をわかりやすくするために、固定具周辺をとくに強調して示したものである。
【００２１】
この防水施工用固定部材（１）は、図２に示すように、樹脂被覆鋼板（２）の上面に外形加工が施され、固定具の頭部を収容する断面からみて凹状台形の収容部（３）と、脚部を挿通させる挿通孔（４）が形成され、挿通孔（４）の縁部（２ａ）は水平方向に突出状にされてある。収容部（３）の上境界面（３ａ）の直径は７．８ｍｍ、下境界面（３ｂ）の直径は６ｍｍ、上境界面（３ａ）と下境界面（３ｂ）間の長さは１．３ｍｍであり、挿通孔（４）の直径は５ｍｍである。
【００２２】
本発明にかかる防水施工用固定部材（１）は、防水施工に用いられる固定部材である必要がある。それは、樹脂被覆鋼板にプレス加工、打ち抜き加工、切断加工、折り曲げ加工、接合加工がなされたもの、あるいはそれらに防水シート（Ｓ）が貼り付けられたものから構成される。とくに防水シート張設接合板、防水用ドレン、笠木鋼板があげられる。
【００２３】
樹脂被覆鋼板（２）は、金属製の鋼板に塩化ビニルやオレフィン系樹脂などの熱可塑性樹脂製防水シートと接合可能な同種の熱可塑性樹脂やホットメルト系接着剤が被覆されたものである。その形状は円形、四角形、多角形、あるいは帯状など制限がなく、得られる防水施工用固定部材（１）の形状に合わせ選択される。その厚さは、０．５〜３．０ｍｍ、好ましくは０．７〜１．７ｍｍが好適である。
【００２４】
この樹脂被覆鋼板（２）の上面には外形加工が施される。外形加工とは、樹脂被覆鋼板（２）に外力を与えることによって、凹部、貫通孔、折曲部などを形成させる加工をいい、具体的には固定具の頭部を収容する収容部（３）、脚部を挿通させる挿通孔（４）、および水平方向に突出状にされた挿通孔（４）の縁部（２ａ）を形成させるためのプレス加工、打ち抜き加工、パンチング加工、ドリル加工、切断加工、折り曲げ加工、接合加工、またそれらを組み合わせた加工をいう。なお、この発明でいう上面とは樹脂被覆された面を指す。
【００２５】
例えば、固定具の頭部を収容する収容部（３）を形成するプレス金型を用いてプレス加工を行うことで収容部（３）を形成しておいてから、収容部（３）における樹脂被覆鋼板（２）の一部を打ち抜き機によって、縁部（２ａ）を水平方向に残した状態で打ち抜いて挿通孔（４）をあける方法があげられる。
【００２６】
それに際しては、図３（イ）（ロ）に示す金型（５）または金型（６）を用いれば、プレス加工と打ち抜き加工とが同時にされることとなり、防水施工用固定部材（１）を一工程で効率よくを製作することができる。図３（イ）に示す金型（５）は、噛み合い刃周囲を凸状で断面からみて台形に加工したパンチ（５ａ）と噛み合い刃周囲を凹状で断面からみて台形に加工したダイ（５ｂ）から構成されている。また図３（ロ）に示す金型（６）は噛み合い刃周囲を凸状で断面からみて台形に加工したパンチ（５ａ）と噛み合い刃周囲を凹状で断面からみて矩形に加工したダイ（６ｂ）から構成されている。
【００２７】
固定具の頭部を収容する収容部（３）においては、使用する固定具の頭部を樹脂被覆鋼板（２）の平坦部（２ｂ）より上方に突出させないほどの空間であればよい。固定具としては、頭部が上からみて円形のもの、断面からみて矩形、三角形、台形、皿状、半円状のものなどが採用される。とくに断面が台形または皿状のものは収容のしやすさの点から好適である。固定具の頭部の直径としては６〜１２ｍｍのものが好適である。
【００２８】
また、挿通孔（４）において、その直径は、収容部（３）の下境界面（３ｂ）の直径より小さく、かつ固定具の脚部の直径より大きく設定されるものであればとくに問わない。通常使用される防水シート張設用の固定具を考慮すれば、その直径は３〜１０ｍｍに設定されるのが好適である。
【図面の簡単な説明】
【００２９】
【図１】本発明の防水施工用固定部材を示す斜視図である。
【図２】本発明の防水施工用固定部材の挿入孔断面を詳細に示す拡大図である。
【図３】本発明の防水施工用固定部材を製作するための金型を示す断面図である。
【図４】従来の防水施工用固定部材を用いた防水施工の形態を示す断面図である。
【図５】従来の収容部のある防水施工用固定部材の挿入孔断面を詳細に示す拡大図である。
【符号の説明】
【００３０】
１、２１、３１  防水施工用固定部材
２、２２、３２  樹脂被覆鋼板
２ａ、３２ａ  縁部
２ｂ、３２ｂ  平坦部
３、３３  収容部
４、２４、３４  挿通孔
５、６ 金型
Ｓ  防水シート
【図１】
2005299163.tif 000003
【図２】
2005299163.tif 000004
【図３】
2005299163.tif 000005
【図４】
2005299163.tif 000006
【図５】
2005299163.tif 000007